(57)【要約】【課題】  安価で磁気テープを傷付けることなく安定して走行させること。【解決手段】  ピンチローラ７とヘッドシリンダ４との間でそのピンチローラ７の近傍に配置したテープガイドポスト２８がスライダ２６に固定されて可動型とされており、ストップモードで、スライダ２６を後方ｍにスライドさせることにより、可動型テープガイドポスト２８を定位置Ｂから後退位置Ｃまで移動させ、テープカセットＴを両リール台２，３に上方から係合させた際に、該テープカセットＴ内の磁気テープｔが緩んだとしても、その緩んだ磁気テープｔをテープガイドポスト２８に接触させないようにした。【選択図】        図１
2005085372.tif 000002
【特許請求の範囲】
【請求項１】
キャプスタンに対して圧接離間可能なピンチローラがシャーシに枢支
軸を介して揺動可能に枢支した揺動アームの先端部に配置され、ピンチローラとヘッドシ
リンダとの間でそのピンチローラの近傍の定位置に配置したテープガイドポストが、シャ
ーシに固定したポスト本体と、該ポスト本体の上端に着脱可能に取り付けた鍔部とからな
り、該鍔部に一体突設した突起部の上面が磁気テープに向けて斜め下向きに傾斜する傾斜
ガイド面とされており、テープカセットをシャーシ上の供給リール台と巻取リール台とに
上方から係合させることにより、該テープカセット内の磁気テープをキャプスタンとピン
チローラとの間に挿入し、その磁気テープが緩んで前記傾斜ガイド面に当たったときには
、その傾斜ガイド面に沿って磁気テープを滑らしてポスト本体に対向する所定位置まで下
降させ、ローディング信号に基づいて移動式テープガイドポストによりテープカセットか
ら磁気テープを引き出してヘッドシリンダに巻き付け、ストップモードからプレイモード
に切り換えることにより、揺動アームを揺動させてピンチローラを磁気テープを介してキ
ャプスタンに圧接させ、該キャプスタン及び前記両リール台を回転させて磁気テープを走
行させるようにした磁気テープ装置において、前記ピンチローラ付き揺動アームに代えて
、シャーシに突設した複数のガイド片によりスライド可能に支持され中央貫通孔をキャプ
スタンに遊嵌合させ該中央貫通孔よりも後側にピンチローラを配置したスライダが用いら
れ、前記ポスト本体と傾斜ガイド面付き鍔部とからなる固定型テープガイドポストに代え
て単一品からなる可動型テープガイドポストが用いられて、該可動型テープガイドポスト
を前記スライダに固定しており、ストップモードで、スライダを後方にスライドさせるこ
とにより、ピンチローラをキャプスタンから離間させると共に、可動型テープガイドポス
トを定位置から後退させ、そのストップモードからプレイモードに切り換えてスライダを
前方にスライドさせることにより、ピンチローラを磁気テープを介してキャプスタンに圧
接させると共に、可動型テープガイドポストを定位置に戻して磁気テープに接触させるよ
うにしたことを特徴とする磁気テープ装置。
【請求項２】
ピンチローラとヘッドシリンダとの間でそのピンチローラの近傍にテ
ープガイドポストが配置されており、テープカセットをシャーシ上の供給リール台と巻取
リール台とに上方から係合させることにより、該テープカセット内の磁気テープをキャプ
スタンとピンチローラとの間に挿入し、ローディング信号に基づいて移動式テープガイド
ポストによりテープカセットから磁気テープを引き出してヘッドシリンダに巻き付け、ス
トップモードからプレイモードに切り換えることにより、ピンチローラを磁気テープを介
してキャプスタンに圧接させることにより、その磁気テープを前記テープガイドポストに
接触させ、キャプスタン及び前記両リール台を回転させて磁気テープを走行させるように
した磁気テープ装置において、前記テープガイドポストが、シャーシに突設した複数のガ
イド片によりスライド可能に支持されたスライダに固定されて磁気テープに接触する定位
置から後退可能な可動型テープガイドポストとされており、ストップモードで、スライダ
を後方にスライドさせることにより、可動型テープガイドポストを定位置から後退させ、
そのストップモードからプレイモードに切り換えてスライダを前方にスライドさせること
により、可動型テープガイドポストを定位置に戻して磁気テープに接触させるようにした
ことを特徴とする磁気テープ装置。
【請求項３】
前記スライダに形成した中央貫通孔をキャプスタンに遊嵌合させ該中
央貫通孔よりも後側にピンチローラを配置しており、ストップモードで、スライダを後方
にスライドさせることにより、ピンチローラをキャプスタンから離間させ、そのストップ
モードからプレイモードに切り換えてスライダを前方にスライドさせることにより、ピン
チローラを磁気テープを介してキャプスタンに圧接させるようにしたことを特徴とする請
求項２に記載の磁気テープ装置。
【発明の詳細な説明】
【技術分野】
【０００１】
本発明は、テープカセットを供給リール台及び巻取リール台に上方から係合させる際に
、該テープカセット内の磁気テープが緩んでいてもテープガイドポストに引っ掛からない
ようにした磁気テープ装置に関する。
【背景技術】
【０００２】
従来、磁気テープ装置の技術として特許文献１などに記載したものがあり、その一例を
図５に基づいて説明すると、これは、シャーシ１上に供給リール台２と巻取リール台３と
が回転可能に配置され、該両リール台２，３に上方から係合させたテープカセットＴから
磁気テープｔを引き出してヘッドシリンダ４に巻き付けるための矢印ａ，ｂ方向に移動可
能な移動式テープガイドポスト５が設けられ、キャプスタン６に対して磁気テープｔを介
してピンチローラ７を圧接離間させるためのピンチローラ駆動機構８が設けられ、ピンチ
ローラ７とヘッドシリンダ４との間でそのピンチローラ７の近傍の定位置に固定型テープ
ガイドポスト９が配置されたものである。なお、１０は全幅消去ヘッド、１１は音声消去
ヘッド、１２は音声・コントロールヘッド、１３は矢印ｃ，ｄ方向に移動可能なテンショ
ンポストである。
【０００３】
前記ピンチローラ駆動機構８は、図５に示すように、ピンチローラ７を先端部に配置し
枢支軸１５を介して基端部近傍をシャーシ１に矢印ｅ，ｆ方向に揺動可能に枢支した揺動
アーム１６と、シャーシ１に枢着軸１７を介して矢印ｇ，ｈ方向に揺動可能枢着されたピ
ンチアーム１８とを有し、該ピンチアーム１８と揺動アーム１６との間にばね１９を張設
することにより、そのピンチアーム１８の先端部１８ａを揺動アーム１６の基端突起部１
６ａに係合させ、ピンチアーム１８の基端部に一体突設したカム片２０が矢印ｉ，ｊに回
転駆動可能なカム円板２１のカム溝２２に嵌入されている。
【０００４】
操作手順を説明すると、図５に実線で示すように、キャプスタン６からピンチローラ７
を離間させたストップモードで、テープカセットＴを両リール台２，３に上方から係合さ
せることにより、該テープカセットＴ内の磁気テープｔをキャプスタン６とピンチローラ
７との間に挿入し、ローディング信号に基づいて移動式テープガイドポスト５を矢印ａ方
向に移動させることにより、テープカセットＴから磁気テープｔを引き出してヘッドシリ
ンダ４に巻き付ける（図５仮想線参照）。
【０００５】
次に、ストップモードからプレイモードに切り換えることにより、カム円板２１を矢印
ｊ方向に約１８０°回転させて、カム溝２２の内周面に形成した山部２２ａでカム片２０
を押し上げ、これにより、ピンチアーム１８を矢印ｈ方向に回動させてばね１９を伸長さ
せ、該ばね１９の押付力で揺動アーム１６を矢印ｆ方向に回動させることにより、ピンチ
ローラ７を磁気テープｔを挟んでキャプスタン６に圧接させると共に、その磁気テープｔ
を固定型テープガイドポスト９に接触させる。続いて、キャプスタン６及び両リール台２
，３を回転させて磁気テープｔを走行させることにより記録や再生を行う。
【０００６】
前記固定型テープガイドポスト９は、図６に示すように、シャーシ１に固定した合成樹
脂製ポスト本体９ａと、該ポスト本体９ａの上端に着脱可能に取り付けた合成樹脂製鍔部
９ｂとからなり、該鍔部９ｂに一体形成した突起部２３の上面が傾斜ガイド面２３ａとさ
れており、その鍔部９ｂを手作業で回すことにより、傾斜ガイド面２３ａを磁気テープｔ
に向けて斜め下向きに傾斜させる。
【０００７】
上記構成において、図５に一点鎖線Ａで示すように、テープカセットＴを両リール台２
，３に上方から係合させたときに、該テープカセットＴ内の磁気テープｔが緩んで傾斜ガ
イド面２３ａに当たったときには〔図６（ｂ）実線参照〕、その磁気テープｔを傾斜ガイ
ド面２３ａに沿って滑らしてポスト本体９ａの小径状テープガイド面２４に対向する所定
位置まで下降させる。
【特許文献１】特開２００２−４２３９６号公報
【発明の開示】
【発明が解決しようとする課題】
【０００８】
上記従来の構成では、固定型テープガイドポスト９が、ポスト本体９ａと傾斜ガイド面
２３ａ付き鍔部９ｂとの２部品からなり、その部品点数が多くてコストアップになる。ま
た、鍔部９ｂを手作業で回して傾斜ガイド面２３ａを磁気テープｔに向けて斜め下向きに
傾斜させる必要があり、その調整作業が面倒である。
【０００９】
更に、テープガイドポスト９が定位置に固定されているため、テープカセットＴを上方
から両リール台２，３に嵌合させたときに、該テープカセットＴ内の緩んだ磁気テープｔ
の下縁が傾斜ガイド面２３ａに当たって傷付けられることがあり、これでは、両リール台
２，３を正逆回転させて磁気テープｔを巻き取ったり巻き戻したりする際の衝撃力で、そ
の磁気テープｔが傷付けられた部分から破断されるおそれがある。
【００１０】
そこで、図５に仮想線で示すように、揺動アーム１６の先端部を延ばして、その先端部
にテープガイドポスト９を配置し、ストップモードで、揺動アーム１６を矢印ｅ方向に回
動させることにより、テープガイドポスト９を定位置から後退させ、ストップモードから
プレイモードに切り換えて揺動アーム１６を矢印ｆ方向に回動させることにより、ピンチ
ローラ７を磁気テープｔを介してキャプスタン６に圧接させると共に、テープガイドポス
ト９を定位置に戻して磁気テープｔに接触させることが考えられが、これでは、テープガ
イドポスト９から枢支軸１５までの距離Ｌが長く、該テープガイドポスト９及びピンチロ
ーラ７が揺動アーム１６により片持ち状態で支持されているので、プレイモードでテープ
ガイドポスト９及びピンチローラ７にかかる過大な抵抗力により揺動アーム１６が撓んで
テープガイドポスト９及びピンチローラ７が上下動させられ、磁気テープｔの走行が不安
定になって、例えば再生画面にノイズが生じるおそれがある。
【００１１】
本発明は、上記従来の欠点に鑑み、安価で磁気テープを傷付けることなく安定して走行
させることができるようにした磁気テープ装置を提供すること目的としている。
【課題を解決するための手段】
【００１２】
上記目的を達成するため、請求項１に記載の発明は、キャプスタンに対して圧接離間可
能なピンチローラがシャーシに枢支軸を介して揺動可能に枢支した揺動アームの先端部に
配置され、ピンチローラとヘッドシリンダとの間でそのピンチローラの近傍の定位置に配
置したテープガイドポストが、シャーシに固定したポスト本体と、該ポスト本体の上端に
着脱可能に取り付けた鍔部とからなり、該鍔部に一体突設した突起部の上面が磁気テープ
に向けて斜め下向きに傾斜する傾斜ガイド面とされており、テープカセットをシャーシ上
の供給リール台と巻取リール台とに上方から係合させることにより、該テープカセット内
の磁気テープをキャプスタンとピンチローラとの間に挿入し、その磁気テープが緩んで前
記傾斜ガイド面に当たったときには、その傾斜ガイド面に沿って磁気テープを滑らしてポ
スト本体に対向する所定位置まで下降させ、ローディング信号に基づいて移動式テープガ
イドポストによりテープカセットから磁気テープを引き出してヘッドシリンダに巻き付け
、ストップモードからプレイモードに切り換えることにより、揺動アームを揺動させてピ
ンチローラを磁気テープを介してキャプスタンに圧接させ、該キャプスタン及び前記両リ
ール台を回転させて磁気テープを走行させるようにした磁気テープ装置において、前記ピ
ンチローラ付き揺動アームに代えて、シャーシに突設した複数のガイド片によりスライド
可能に支持され中央貫通孔をキャプスタンに遊嵌合させ該中央貫通孔よりも後側にピンチ
ローラを配置したスライダが用いられ、前記ポスト本体と傾斜ガイド面付き鍔部とからな
る固定型テープガイドポストに代えて単一品からなる可動型テープガイドポストが用いら
れて、該可動型テープガイドポストを前記スライダに固定しており、ストップモードで、
スライダを後方にスライドさせることにより、ピンチローラをキャプスタンから離間させ
ると共に、可動型テープガイドポストを定位置から後退させ、そのストップモードからプ
レイモードに切り換えてスライダを前方にスライドさせることにより、ピンチローラを磁
気テープを介してキャプスタンに圧接させると共に、可動型テープガイドポストを定位置
に戻して磁気テープに接触させるようにしたことを特徴としている。
【００１３】
請求項２に記載の発明は、ピンチローラとヘッドシリンダとの間でそのピンチローラの
近傍にテープガイドポストが配置されており、テープカセットをシャーシ上の供給リール
台と巻取リール台とに上方から係合させることにより、該テープカセット内の磁気テープ
をキャプスタンとピンチローラとの間に挿入し、ローディング信号に基づいて移動式テー
プガイドポストによりテープカセットから磁気テープを引き出してヘッドシリンダに巻き
付け、ストップモードからプレイモードに切り換えることにより、ピンチローラを磁気テ
ープを介してキャプスタンに圧接させることにより、その磁気テープを前記テープガイド
ポストに接触させ、キャプスタン及び前記両リール台を回転させて磁気テープを走行させ
るようにした磁気テープ装置において、前記テープガイドポストが、シャーシに突設した
複数のガイド片によりスライド可能に支持されたスライダに固定されて磁気テープに接触
する定位置から後退可能な可動型テープガイドポストとされており、ストップモードで、
スライダを後方にスライドさせることにより、可動型テープガイドポストを定位置から後
退させ、そのストップモードからプレイモードに切り換えてスライダを前方にスライドさ
せることにより、可動型テープガイドポストを定位置に戻して磁気テープに接触させるよ
うにしたことを特徴としている。
【００１４】
請求項３に記載の発明は、前記スライダに形成した中央貫通孔をキャプスタンに遊嵌合
させ該中央貫通孔よりも後側にピンチローラを配置しており、ストップモードで、スライ
ダを後方にスライドさせることにより、ピンチローラをキャプスタンから離間させ、その
ストップモードからプレイモードに切り換えてスライダを前方にスライドさせることによ
り、ピンチローラを磁気テープを介してキャプスタンに圧接させるようにしたことを特徴
としている。
【発明の効果】
【００１５】
請求項１に記載の発明は実施の一形態（図１から図４参照）に対応するものであって、
これによれば、スライダに固定した可動型テープガイドポストをストップモードで定位置
から後退させるので、テープカセットを上方から両リール台に嵌合させたときに、該テー
プカセット内の磁気テープが緩んだとしても、その緩んだ磁気テープが前記テープガイド
ポストに接触することがなく、従来のように磁気テープの下縁がテープガイドポストに当
たって傷付けられるおそれがなくなり、その磁気テープの寿命を大幅に延ばすことができ
る。
【００１６】
また、可動型テープガイドポストには従来の傾斜ガイド面に相当するものが不要であっ
て、その可動型テープガイドポストを単一品で形成することにより、部品点数を従来に比
べて半減させて安価にできる。
【００１７】
更に、ピンチローラ及びテープガイドポストを配置したスライダをシャーシに突設した
複数のガイド片でスライド可能に支持しており、プレイモードでピンチローラ及びテープ
ガイドポストにかかる過大な抵抗力により前記スライダが撓むことがないので、そのスラ
イダ上のピンチローラ及びテープガイドポストの高さを一定に保持して、磁気テープの走
行を上下動しないように安定させることができ、これによって、例えば画面にノイズの生
じない鮮明な映像を再生することができる。
【００１８】
請求項２に記載の発明によれば、スライダに固定した可動型テープガイドポストをスト
ップモードで定位置から後退させるので、テープカセットを上方から両リール台に嵌合さ
せたときに、該テープカセット内の磁気テープが緩んだとしても、その緩んだ磁気テープ
が前記テープガイドポストに接触することがなく、従来のように磁気テープの下縁がテー
プガイドポストに当たって傷付けられるおそれがなくなり、その磁気テープの寿命を大幅
に延ばすことができる。
【００１９】
また、可動型テープガイドポストには従来の傾斜ガイド面に相当するものが不要であっ
て、その可動型テープガイドポストを単一品で形成することにより、部品点数を従来に比
べて半減させて安価にできる。
【００２０】
請求項３に記載の発明によれば、ピンチローラ及びテープガイドポストを配置したスラ
イダをシャーシに突設した複数のガイド片でスライド可能に支持しており、プレイモード
でピンチローラ及びテープガイドポストにかかる過大な抵抗力により前記スライダが撓む
ことがないので、そのスライダ上のピンチローラ及びテープガイドポストの高さを一定に
保持して、磁気テープの走行を上下動しないように安定させることができ、これによって
、例えば画面にノイズの生じない鮮明な映像を再生することができる。
【発明を実施するための最良の形態】
【００２１】
図１から図４は本発明の実施の一形態である磁気テープ装置を示すものであって、ピン
チローラ駆動機構８がスライダ２６とピンチアーム２７とを有し、ピンチローラ７とヘッ
ドシリンダ４との間でそのピンチローラ７の近傍に配置したテープガイドポスト２８がス
ライダ２６に固定されて可動型とされ、ピンチアーム２７の基端部に設けたカム片２９が
カム溝２２に嵌入されている。上記以外の構成は図５及び図６に示す構成とほぼ同じであ
るから、同一部分に同一符号を付してその説明を省略する。
【００２２】
前記スライダ２６は、図１及び図２に示すように、略矩形状の板金からなり、その中央
貫通孔２６ａをキャプスタン６に遊嵌合させ該中央貫通孔２６ａより後側にピンチローラ
７を配置しており、シャーシ１から切り起こした３つの略Ｌ字状ガイド片１ａ〜１ｃのう
ち、その後側２つのガイド片１ａ，１ｂをスライダ２６の両側縁に係合させると共に、そ
の前側のガイド片１ｃをスライダ２６の前側に形成したガイド孔２６ｂに係合させること
により、そのスライダ２６が前後方向ｋ，ｍにスライド可能に形成され、スライダ２６か
ら切り起こした係合片２６ｃとピンチアーム２７の先端起立部２７ａとの間にばね１９を
張設することにより、該先端起立部２７ａがスライダ２６の前側凹部２６ｄに係合されて
おり、枢着軸１７を中心にピンチアーム２７を矢印ｇ，ｈ方向に回動させることにより、
ばね１９及びスライダ２６を介してピンチローラ７をキャプスタン６に圧接離間させ、テ
ープガイドポスト２８を定位置Ｂと後退位置Ｃとの間で前後進させる。
【００２３】
上記構成によれば、ピンチローラ７及びテープガイドポスト２８を配置したスライダ２
６をシャーシ１に突設した複数のガイド片１ａ〜１ｃでスライド可能に支持しており、プ
レイモードでピンチローラ７及びテープガイドポスト２８にかかる過大な抵抗力によりス
ライダ２６が撓むことがないので、そのスライダ２６上のピンチローラ７及びテープガイ
ドポスト２８の高さを一定に保持して、磁気テープｔの走行を上下動しないように安定さ
せることができ、これによって、例えば画面にノイズの生じない鮮明な映像を再生するこ
とができる。
【００２４】
前記可動型テープガイドポスト２８は、図３に示すように、単一品の金属棒からなり、
下端突起部２８ａをスライダ２６の貫通孔に嵌入させると共に、その下端突起部２８ａを
かしめることにより、スライダ２６に固定されており、ストップモードで、スライダ２６
を後方ｍにスライドさせることにより、図１に仮想線で示す定位置Ｂから後退位置Ｃまで
所定間隔Ｓだけ移動させ（図１実線参照）、そのストップモードからプレイモードに切り
換えてスライダ２６を前方ｋにスライドさせることにより、定位置Ｂに戻して磁気テープ
ｔに接触させる（図４実線参照）。
【００２５】
操作手順を説明すると、図１はストップモードを示しており、キャプスタン６からピン
チローラ７が離間されると共に、テープガイドポスト２８が定位置Ｂから後退されている
。このストップモードで、テープカセットＴを両リール台２，３に上方から係合させるこ
とにより、該テープカセットＴ内の磁気テープｔをキャプスタン６とピンチローラ７との
間に挿入する。
【００２６】
ここで、図１に一点鎖線Ａで示すように、磁気テープｔが緩んだとしても、テープガイ
ドポスト２８を定位置Ｂから後退位置Ｃまで移動させているので、その緩んだ磁気テープ
ｔをテープガイドポスト２８に接触させることがない。
【００２７】
次に、ローディング信号に基づいて移動式テープガイドポスト５を矢印ａ方向に移動さ
せることにより、テープカセットＴから磁気テープｔを引き出してヘッドシリンダ４に巻
き付ける（図４参照）。
【００２８】
その後、ストップモードからプレイモードに切り換えることにより、カム円板２１を矢
印ｉ方向に約１８０°回転させて、カム溝２２の内周面に形成した山部２２ａでカム片２
９を押し上げ、これにより、ピンチアーム２７を矢印ｇ方向に回動させてばね１９を伸長
させ、該ばね１９の押付力でスライダ２６を前方ｋにスライドさせることにより、図４に
示すように、ピンチローラ７を磁気テープｔを挟んでキャプスタン６に圧接させると共に
、テープガイドポスト２８を定位置Ｂまで戻して磁気テープｔに接触させる。続いて、キ
ャプスタン６及び両リール台２，３を回転させて磁気テープｔを走行させることにより記
録や再生を行う。
【００２９】
上記構成によれば、スライダ２６に固定した可動型テープガイドポスト２８をストップ
モードで定位置Ｂから後退させるので、テープカセットＴを上方から両リール台２，３に
嵌合させたときに、該テープカセットＴ内の磁気テープｔが緩んだとしても、その緩んだ
磁気テープｔが前記テープガイドポスト２８に接触することがなく、従来のように磁気テ
ープｔの下縁がテープガイドポスト２８に当たって傷付けられるおそれがなくなり、その
磁気テープの寿命を大幅に延ばすことができる（図６参照）。
【００３０】
また、可動型テープガイドポスト２８には従来の傾斜ガイド面２３ａ（図６参照）に相
当するものが不要であって、その可動型テープガイドポスト２８を単一品で形成すること
により、部品点数を従来に比べて半減させて安価にできる。
【図面の簡単な説明】
【００３１】
【図１】本発明の実施の一形態である磁気テープ装置のストップモード状態を示す概略平面図である。
【図２】同要部の斜視図である。
【図３】図２のＤ−Ｄ矢視図である。
【図４】同プレイモード状態を示す概略平面図である。
【図５】従来例を示す概略平面図である。
【図６】（ａ）は固定型テープガイドポストの斜視図、（ｂ）は同固定型テープガイドポストの側面図である。
【符号の説明】
【００３２】
１          シャーシ
１ａ〜１ｃ  ガイド片
２          供給リール台
３          巻取リール台
４          ヘッドシリンダ
５          移動式テープガイドポスト
６          キャプスタン
７          ピンチローラ
９          固定型テープガイドポスト
９ａ        ポスト本体
９ｂ        鍔部
１５        枢支軸
１６        揺動アーム
２３        突起部
２３ａ      傾斜ガイド面
２６        スライダ
２６ａ      スライダの中央貫通孔
２８        可動型テープガイドポスト
Ｂ          定位置
Ｃ          後退位置
Ｔ          テープカセット
ｔ          磁気テープ
【図１】
2005085372.tif 000003
【図２】
2005085372.tif 000004
【図３】
2005085372.tif 000005
【図４】
2005085372.tif 000006
【図５】
2005085372.tif 000007
【図６】
2005085372.tif 000008